(57)【特許請求の範囲】
【請求項１】
原稿台に載置される原稿を読み取る原稿読取装置であって、
前記原稿台に載置された原稿を押圧する圧板と、
前記原稿台にむけて光を照射する照明手段と、
受光量に応じた信号を出力する受光手段と、
前記照明手段が点灯されていない状態において前記受光手段から出力される信号に基づいて、前記原稿のサイズを検知するための前記照明手段の照射光量を制御する制御手段と、
前記制御手段によって制御された照射光量によって前記照明手段が点灯されている状態において前記受光手段から出力される信号に基づいて、前記原稿台に載置されている原稿のサイズを検知する原稿サイズ検知手段とを有し、
前記制御手段は、前記受光手段に受光される外乱光の光量が第１光量である場合は前記照射光量を第１照射光量になるように制御し、前記受光手段に受光される外乱光の光量が前記第１光量より少ない第２光量である場合は前記照射光量を前記第１照射光量より少ない第２照射光量になるように制御する
ことを特徴とする原稿読取装置。
【請求項２】
前記原稿サイズ検知手段は、前記制御手段によって制御された照射光量によって前記照明手段が点灯されている状態において前記受光手段から出力される信号と閾値との比較結果に基づき前記原稿のサイズを決定し、
前記制御手段は、
前記照明手段が点灯されていない状態において前記受光手段から出力される信号よりも高い値に前記閾値を設定し、
前記原稿台に載置されている原稿からの反射光を受光することにより前記受光手段から出力される信号の値が前記閾値よりも高い値になるように前記照射光量を制御することを特徴とする請求項１記載の原稿読取装置。
【請求項３】
前記照明手段が点灯されていない状態において前記受光手段から出力される信号は、前記圧板の開角度が第１角度に変化したことに応じて取得され、
前記制御手段によって制御された照射光量によって前記照明手段が点灯されている状態において前記受光手段から出力される信号は、前記第１角度より小さい第２角度に変化したことに応じて取得されることを特徴とする請求項１または２記載の原稿読取装置。
【請求項４】
前記照明手段が点灯されていない状態において前記受光手段から出力される信号の最大値に基づいて、前記原稿のサイズを検知するための前記照明手段の照射光量を制御することを特徴とする請求項１乃至３のいずれかに記載の原稿読取装置。
【発明の詳細な説明】
【技術分野】
【０００１】
本発明は、原稿台に載置される原稿を読み取る原稿読取装置に関する。
【背景技術】
【０００２】
従来の原稿サイズ検知装置には原稿台に置かれた原稿を押圧するために設けられた原稿圧板が閉じきる前に原稿サイズを検知する装置がある（例えば、特許文献１参照）。この装置では、原稿台と原稿圧板との角度が所定の角度以下になったと検知されたとき、原稿照明用光源を点灯させ、原稿からの反射光をＣＣＤ（電荷結合素子）で読み取る。ＣＣＤで読み取られた結果に基づいて原稿サイズが検知される。
【０００３】
原稿サイズの検知には、原稿が置かれている領域におけるＣＣＤ出力と原稿が置かれていない領域におけるＣＣＤ出力の差を利用し、出力差のある位置を原稿の端部としてみなすことにより原稿サイズを検知する。原稿圧板が開いている状態での原稿が置かれていない領域のＣＣＤ出力は、原稿が置かれている領域のＣＣＤ出力よりも小さい。これは、原稿が置かれている領域に比べて、置かれていない領域では原稿からの反射光量が少なく、また、原稿圧板に光源が照射した光の反射光が少ないためである。上記原稿サイズ検知装置では、原稿圧板の角度が室内照明等の外乱光が入り難い角度になってから原稿サイズ検知処理が行われるため、原稿が置かれていない領域では外乱光がＣＣＤに入射し難い。そのため、外乱光による原稿サイズの誤検知を受け難く、正確に原稿サイズを検知することができる。
【０００４】
この装置では原稿圧板が閉じられたときには原稿サイズが検知済みの状態となるため、原稿圧板を閉じた後、ユーザはすぐに画像形成を指示することができる。
【０００５】
しかしながら、上記装置は原稿圧板が開いた状態で原稿照明用光源を点灯させるので、原稿サイズ検知時に光源からの光がユーザの目に入り、ユーザが眩しいと感じる課題があった。
【０００６】
一方、原稿サイズ検知時にユーザが感じる眩しさへの対策として、原稿読み取り時の光源の光量よりも原稿サイズ検知時の光源の光量を低くして原稿サイズを検知する装置が開示されている（例えば、特許文献２参照）。この装置では、原稿台に対する原稿カバー（原稿圧板）の角度が所定の角度以下になったとき原稿照明用の光源を点灯させ、原稿台に載置された原稿からの反射光をＣＣＤに受光させ、受光結果から原稿サイズを検知する。このときに点灯される光源の光量は原稿読み取り時の光量よりも低い光量で点灯される。このように、原稿サイズ検知時に原稿カバーが開いた状態で原稿照明用光源の光量を落として点灯させることにより、ユーザが感じる眩しさを軽減することができる。
【先行技術文献】
【特許文献】
【０００７】
【特許文献１】特開２００４−２５８３８６号公報
【特許文献２】特開２００２−２９０６７５号公報
【発明の概要】
【発明が解決しようとする課題】
【０００８】
しかしながら、特許文献２の装置のように眩しさ対策のために原稿サイズ検知時の光量を落とすと、外乱光が強い環境では原稿読取センサ（以下、ＣＣＤ）が検知する外乱光と原稿からの反射光との区別がつかなくなり、原稿サイズを誤検知するおそれがある。
【０００９】
図１３は原稿サイズ検知装置を備える原稿読取装置が外乱光の強い環境に置かれている場合において、原稿サイズを誤検知するときのＣＣＤからの出力を示す図である。同図Ａの領域が原稿からの反射光によるＣＣＤの出力、Ｂの領域が外乱光によるＣＣＤからの出力である。この場合、外乱光による出力と原稿から反射光の出力とが予め定められた原稿有無を判断する閾値（以下、原稿有無の閾値とする）よりも大きくなるおそれがある。そのため、原稿サイズ検知装置のコントローラは、本来原稿が置かれていないＢ領域にも原稿が跨って置かれていると判断し、原稿サイズを誤検知してしまう可能性がある。
【００１０】
このような外乱光の強い環境における原稿サイズの誤検知を防止するために、原稿サイズ検知時の光量を外乱光の影響を受けない程度に強く設定すると、ユーザが眩しいと感じるようになる。
【００１１】
このように、原稿圧板が開いた状態で原稿サイズ検知が開始される装置においては、原稿の誤検出という課題と原稿サイズ検知時にユーザが感じる眩しさという課題とはトレードオフの関係になっており、両方の課題を同時に解決する手段がなかった。
【００１２】
本発明は上述の課題を鑑みてなされたものであり、光源の漏れ光がユーザに与える眩しさを軽減するとともに、原稿サイズの誤検知を防止できる原稿サイズ検知装置を提供することを目的とする。
【課題を解決するための手段】
【００１３】
上記目的を達成するために、本発明の原稿読取装置は、原稿台に載置される原稿を読み取る原稿読取装置であって、前記原稿台に載置された原稿を押圧する圧板と、前記原稿台にむけて光を照射する照明手段と、受光量に応じた信号を出力する受光手段と、前記照明手段が点灯されていない状態において前記受光手段から出力される信号に基づいて、前記原稿のサイズを検知するための前記照明手段の照射光量を制御する制御手段と、前記制御手段によって制御された照射光量によって前記照明手段が点灯されている状態において前記受光手段から出力される信号に基づいて、前記原稿台に載置されている原稿のサイズを検知する原稿サイズ検知手段とを有し、前記制御手段は、前記受光手段に受光される外乱光の光量が第１光量である場合は前記照射光量を第１照射光量になるように制御し、前記受光手段に受光される外乱光の光量が前記第１光量より少ない第２光量である場合は前記照射光量を前記第１照射光量より少ない第２照射光量になるように制御することを特徴とする。
【発明の効果】
【００１４】
本発明によれば、外乱光の光量に基づいて原稿サイズ検知時の照明手段の照射光量を制御するため、ユーザが感じる眩しさを極力軽減することができるとともに、外乱光による原稿サイズの誤検知を防止することができる。
【図面の簡単な説明】
【００１５】
【図１】本発明の実施例に係る原稿サイズ検知装置の副走査方向（ａ）、及び主走査方向（ｂ）断面図である。
【図２】原稿サイズ検知装置が有するＬＥＤ光源の配列例である。
【図３】原稿サイズ検知装置の原稿台の構成及び、原稿サイズ検知時のＣＣＤの位置を示す図である。
【図４】原稿サイズを判定するための対応表を表す図である。
【図５】本実施例における原稿サイズ検知装置のブロック図である。
【図６】光源を点灯させないときの外乱光を検知したときのＣＣＤが出力する電気信号を示す図である。
【図７】光量設定後、光源を点灯させたときにＣＣＤが出力する電気信号を示す図である。
【図８】外乱光の光量と光源の光量及び原稿有無の閾値との関係を表す図である。
【図９】本実施例における画像サイズ装置の原稿サイズ検知処理フローチャートである。
【図１０】原稿圧板の開状態（４０°）と外乱光の筐体内への入射の関係を示す概略図である。
【図１１】原稿圧板の開状態（２５°）と外乱光の筐体内への入射の関係を示す概略図である。
【図１２】原稿の有無を検知する複数のセンサを設けた原稿サイズ検知装置のセンサの配置を示す図。
【図１３】外乱光の強い環境下で原稿サイズ検知を行った場合にＣＣＤから出力される電気信号を示す図である。
【発明を実施するための形態】
【００１６】
以下、本発明の実施形態について図１から図１２を用いて説明する。
【実施例１】
【００１７】
図１は第１の実施例に係る原稿サイズ検知装置を備える原稿読取装置の構成を示す図であり、（ａ）は原稿読取装置の正面図、（ｂ）は原稿読取装置の側面図である。１０２は原稿台であり原稿１０１が載置される。以下、本発明の第１の実施例を図１から図１２に基づいて詳細に説明する。
【００１８】
図１（ａ）の原稿台１０２には原稿１０１が載置される。原稿圧板１１５は原稿１０１を原稿台１０２に押圧するために設けられている。原稿台１０２に対向する原稿圧板１１５の面は原稿１０１を読み取る際の裏写り現象を防ぐために白色にしてある（白板が設置されている）。
【００１９】
光学センサ１１６及びセンサフラグ１１７は原稿台１０２に対する原稿圧板１１５の開状態（開角度）を検出する（開状態検知手段）。センサフラグ１１７が原稿圧板１１５の開閉で上下し、センサフラグ１１７の上下動により光学センサ１１６の光を遮られることによって原稿圧板１１５の開角度が所定の角度以下になったか否かを検知する。この開角度が所定の角度以下になると原稿サイズ検知処理が行われる（詳細は後述する）。
【００２０】
光源１０５は原稿１０１に光を照射し、光量の制御が可能な構成となっている原稿照明用光源である。この光源１０５は図１（ａ）中に示すように原稿台１０２に沿って副走査方向（第１の方向）に移動可能な光学台１０７に設けられている。
【００２１】
ＣＣＤ１１２は、主走査方向（第１の方向に直交する第２の方向）を長手方向として原稿台１０２の載置面に平行して配置されるＣＣＤラインセンサ（受光手段）である。ＣＣＤ１１２は、受光量に応じた電気信号を出力する。原稿読取時には、ＣＣＤ１１２は、光源１０５により光を照射された原稿１０１からの反射光を受光し、受光量に応じて電気信号を出力される。光源１０５から原稿１０１に照射された光は原稿面で反射され、その反射光はミラー１０６、１０８、１０９によってレンズ１１１に導かれ、レンズ１１１によりＣＣＤ１１２に集光される。原稿読取時に、ＣＣＤ１１２が備えられる光学台１０７と、光学台１１０とを副走査方向に移動させることにより、原稿１０１の画像がＣＣＤ１１２により読み取られる。ＣＣＤ１１２が読み取った画像のデータは、図示しない画像形成装置に出力され、記録紙上にその画像が形成される。
【００２２】
図２は光源１０５の断面図である。同図に示されるように、複数個の発光ダイオード（ＬＥＤ）２０１が基板２０２に支持され、主走査方向にアレイ状に並べられている。ＬＥＤは複数のブロックに分割されて制御され、入力信号を変化させることによって光量調整される。ＬＥＤ光源は、キセノン管や蛍光灯などの光源に比べ照射光量の制御が簡単に行える点で本実施例の光源に適している。
【００２３】
図３は第１の実施例に係る原稿サイズ検知装置を備える画像読取装置の原稿台１０２の構成を示す上面図である。同図に示すように原稿台１０２の外周部には原稿サイズラベル１１８が設けられている。さらに同図の左上に示す奥側基準突き当て部に原稿合わせマーク１０４が設けられている。定型サイズの原稿は、原稿サイズラベル１１８及び原稿合わせマーク１０４に合わせて原稿台１０２上に載置されると、各サイズの原稿は原稿台１０２に対して図３のように配置される。
【００２４】
原稿サイズ検知時の光学台１０７は同図に示す位置に配置される。この位置は光学台１０７のホームポジションとなっており、原稿サイズ検知時に光学台１０７をこのホームポジションに配置することによって、原稿合わせマーク１０４に従って載置された原稿の主走査方向の長さを検知できる。また、ホームポジションで原稿サイズ検知を行えば原稿サイズ検知後に速やかに原稿読取工程に移行できる。
【００２５】
同図における副走査方向原稿サイズ検知センサ１１３（以下、原稿サイズ検知センサ１１３）は、筐体１１４内の所定の位置に配置され、所定のサイズ以下であるか否かを２値で出力する。この原稿サイズ検知センサ１１３によって、原稿台１０２に載置された原稿１０１のサイズを絞り込むことができる。すなわち、ユーザが原稿サイズラベル１１８に従って原稿を載置した場合、原稿サイズ検知センサ１１３が原稿有りと検知したときは原稿がＢ５Ｒ、Ａ４Ｒ、Ｂ４、Ａ３のいずれかであると判断する（図４対応表参照）。原稿無しと検知したときは原稿がＢ６、Ａ５、Ｂ５、Ａ４のいずれかであると判断する。
【００２６】
図５は本実施例に係る原稿サイズ検知装置の制御系の構成を示すブロック図である。図５中のスキャナコントローラ２０３は、光源１０５、ＣＣＤ１１２、原稿サイズ検知センサ１１３、光学モータ２０５の駆動を制御する制御部である。スキャナコントローラ２０３は光源１０５を点灯の状態または非点灯の状態に制御し、光源１０５の照射光量を任意に制御することもできる。また、スキャナコントローラ２０３は、光源１０５の点灯、非点灯に関わらずＣＣＤ１１２に読み取りを行わせることができる。さらに、スキャナコントローラ２０３は、ＣＣＤ１１２の出力と原稿サイズ検知センサ１１３の検知結果とに基づいて原稿サイズ判定を行う。
【００２７】
ＲＯＭ１１９には、後述するスキャナコントローラ２０３が行う制御フローを実行するためのプログラムが記憶されている。光学モータ２０５は原稿読み取り時に光学台１０７及び１１０を主走査方向に移動させるモータであり、移動量はスキャナコントローラ２０３によって制御される。
【００２８】
スキャナコントローラ２０３は、ＣＣＤ１１２を介して外乱光を検知し、検知した外乱光に基づいて原稿有無の閾値を設定するとともに、原稿サイズ検知時の光源１０５の照射光量を制御する。なお、本実施例における外乱光（外光）とは原稿読取装置外の外部光源からＣＣＤ１１２に入射する光を指すこととする。本実施例の原稿サイズ検知装置は、原稿圧板１１５が原稿台１０５に対して開いた状態、即ち外光がＣＣＤ１１２に入射可能な状態で原稿サイズの検知を可能にする装置である。
【００２９】
スキャナコントローラ２０３は光源１０５を点灯させていないときに（非点灯の状態）ＣＣＤ１１２に読み取りを開始させる。図６はそのときの検知結果の一例である。図６の主走査方向Ａの領域には原稿１０１が載置されており、外乱光が差し込み難いため外乱光によるＣＣＤ１１２の出力は小さい。一方、Ｂの領域ではＣＣＤ１１２が外乱光を検知するため外乱光に対応する出力がある（図中斜線部）。この出力レベルの最大値を外乱光の光量レベルに設定する（図６中、二点鎖線）。
【００３０】
スキャナコントローラ２０３は外乱光の光量レベルに基づいて原稿有無の閾値を設定する。ここで、外乱光には、蛍光灯等の周期的に光量が変化する光源による光が含まれることがある。このように周期的に光量が微小に変化する外乱光の場合、外乱光を検知するときの光量がその光量変動の最小光量だったが、その後に原稿サイズを検知するときの外乱光の光量がその光量変動の最大光量であることもある。このようなときにおいても原稿サイズを誤検知しないようにするために、原稿有無の閾値は、外乱光による最大出力レベルに外乱光（蛍光灯等）の光量変動分を加えた値（またはそれよりも高い値）に設定される。
【００３１】
原稿サイズ検知時の光源１０５の照射光量についてさらに詳しく説明する。スキャナコントローラ２０３は光源１０５により光を照射された原稿１０１からの反射光を受光したＣＣＤ１１２の出力レベルが、少なくとも前述の原稿有無の閾値よりも所定のレベル高くなるように光源１０５の照射光量を設定する。これにより、原稿サイズ検知時の原稿からの反射光の光量は、外乱光の光量及び設定した閾値よりも大きくなるため、外乱光による誤検知を防止できる。
【００３２】
このようにして、設定される照射光量は、原稿サイズを検知するために光源１０５を点灯させたときにスキャナコントローラ２０３が外乱光に対して原稿サイズを誤検知しない光量かつユーザが極力眩しいと感じないような光量になる。なお、外乱光の光量が大きいとき光源１０５の光量を大きくして原稿サイズ検知を行うが、このときユーザは外乱光の光量に慣れているため光源１０５の光量を大きくしても眩しいと感じ難い。
【００３３】
続いて、設定された光量での原稿サイズ検知方法、すなわちＣＣＤ１１２の検知結果による主走査方向の原稿サイズ検知方法について説明する。スキャナコントローラ２０３は原稿サイズ検知するために設定された照射光量で光源１０５を点灯させる。図７は原稿サイズ検知のために光源１０５が点灯されたときのＣＣＤ１１２の出力を示す図である。Ａ領域は原稿が載置された領域であり、この領域での出力は原稿からの反射光を受光したＣＣＤ１１２の出力である。Ｂ領域は原稿が載置されていない領域であり、この領域での出力は外乱光を受光したＣＣＤ１１２の出力である。
【００３４】
上述したように、光源１０５の光量は原稿からの反射光が原稿有無の閾値よりも高くなるように設定されるため、原稿が載置された領域における出力は原稿有無の閾値よりも高い値で得られる。また、原稿有無の閾値は外乱光の光量よりも高い値に設定されるため、外乱光によるＣＣＤ１１２の出力は原稿有無の閾値を下回る。
【００３５】
主走査方向の原稿サイズ検知は、設定された照射光量で光源１０５を点灯させたときのＣＣＤ１１２の出力と上記の原稿有無閾値とを比較することによって行われる。具体的には、スキャナコントローラ２０３は原稿有無閾値を超える出力が得られた領域に原稿が置かれているとみなし、その領域の長さから主走査方向の原稿サイズを判定する。例えば、図７においてＡ領域の電気信号の値は原稿有無閾値を超え、Ｂ領域の電気信号の値は原稿有無閾値を下回る。スキャナコントローラ２０３は、原稿閾値よりも高い値が得られたＡ領域の長さから主走査方向の原稿サイズを判定する。
【００３６】
また、図７に示すようにＡ領域とＢ領域との境界部が明確になるため、境界部（エッジ）の位置から主走査方向の原稿サイズを判定しても良い。
【００３７】
図８は、光源１０５を点灯しない状態においてＣＣＤ１１２が外乱光を受光したときに出力する電気信号と、それに基づいて原稿サイズ検知時に設定される光源１０５の光量及び原稿有無の閾値との関係を示す図である。ＣＣＤ１１２が検知する外乱光の光量が所定の値よりも大きいとき（同図中において二点鎖線より右側の領域）、スキャナコントローラ２０３は外乱光の光量の増加に応じて光源の光量及び原稿有無の閾値を増加させる。外乱光の光量が所定の値以下であるとき、スキャナコントローラ２０３は光源１０５を所定の照射光量で点灯させて、原稿サイズ検知を行う（詳しくは後述する）。所定の値はＲＯＭ１１９に予め記憶されている。続いて、図９を用いて本実施例においてスキャナコントローラ２０３が実行する原稿サイズ検知処理のフローを説明する。
【００３８】
まず、原稿サイズ検知装置のスキャナコントローラ２０３は、センサフラグ１１７が光学センサ１１６を通過したか否かによって原稿台１０２に対する原稿圧板の開状態（開角度）を判断する（Ｓ９０１）。所定の角度よりも小さくなると原稿サイズ検知が開始される。本実施例ではこの所定の角度を３０°に設定した場合について説明する。
【００３９】
原稿圧板１１５の開角度が３０°以上であると検知された場合（図１０の状態）は、省エネのためスキャナコントローラ２０３は光源１０５、ＣＣＤ１１２、原稿サイズ検知センサ１１３の電源をオフにする（Ｓ９０２）。
【００４０】
次に、センサフラグ１１７が光学センサ１１６を通過したことを検出すると、光学センサ１１６は原稿圧板１１５の開角度が３０°以上の領域から３０°以下の領域（図１１の状態）に変化したと判断する。それに応じてスキャナコントローラ２０３は原稿圧板１１５が装置ユーザによって閉め始められたものと判断し、ＣＣＤ１１２、原稿サイズ検知センサ１１３の電源をオンにする（Ｓ９０３）。このとき、ステップＳ９０３では光源１０５は点灯させない。
【００４１】
スキャナコントローラ２０３は、原稿圧板１１５の開角度が３０°以上の領域から３０°以下の領域に変化し、かつ光源１０５が点灯されていないときに、ＣＣＤ１１２に読み取りを開始させる（Ｓ９０４）。この読取結果に応じてＣＣＤ１１２からは光源１０５が点灯されていないときの電気信号が出力される。このときＣＣＤ１１２が検知する光を外乱光とする。この外乱光は筐体１１４の外部から筐体１１４の内部に入射する光であり、後述する室内灯からの光など光源１０５からの光以外の光を指す。
【００４２】
上記ステップＳ９０４に続いて、スキャナコントローラ２０３はこの電気信号をＡ／Ｄ変換回路２０１によりデジタル信号に変換し、主走査方向の信号分布の最大値を外乱光の光量レベルとして設定する。そして、スキャナコントローラ２０３は、設定された外乱光の光量レベルに基づいて原稿有無の閾値を設定する。この原稿有無の閾値に基づいてスキャナコントローラ２０３は、光源１０５の照射光量のレベルを決定する（Ｓ９０５）。
【００４３】
次に、スキャナコントローラ２０３は設定した照射光量で光源１０５を点灯させ、ＣＣＤ１１２に読み取りを行わせる（Ｓ９０６）。原稿サイズ検知のタイミングは、原稿圧板１１５が外乱光の検知を開始する開角度（前述の３０°）よりも小さい開角度（例えば、２５°）以下になったと検知されることによって開始される。２５°以下になったことは光学センサ１１６により検知する（２５°に対応するセンサフラグは図示しない）。読取結果に応じてＣＣＤ１１２から出力される電気信号はＡ／Ｄ変換回路２０１によりデジタル信号に変換され、スキャナコントローラ２０３に入力される。
【００４４】
ステップＳ９０６に続いて、スキャナコントローラ２０３は原稿サイズ検知センサ１１３の２値出力信号に基づいて原稿の副走査方向の長さを判定する（Ｓ９０７）。
【００４５】
スキャナコントローラ２０３は、光源１０５が点灯されているときのＣＣＤの出力が原稿有無の閾値以上であるか否かを判定し、判定結果に基づいて原稿台１０２に原稿１０１が載置されているか否かを判定する（Ｓ９０８）。スキャナコントローラ２０３はＣＣＤ１１２の出力が原稿有無の閾値よりも高い領域には、原稿からの反射光がＣＣＤ１１２に入射しているとみなし、原稿が置かれていると判断する。反対に、スキャナコントローラ２０３はＣＣＤ１１２の出力が原稿有無の閾値よりも低い領域には、原稿からの反射光がＣＣＤ１１２に入射していないとみなし、原稿が置かれていないと判断する。
【００４６】
上述したように、原稿台１０２に原稿１０１が置かれていれば、ＣＣＤ１１２の出力は原稿有無の閾値を超える。スキャナコントローラ２０３は、電気信号が原稿有無の閾値を超えている領域の長さから主走査方向の原稿長さを判定する（Ｓ９０９）。
【００４７】
さらに、ステップＳ９０９において、スキャナコントローラ２０３は、副走査方向の原稿長さの検知結果とＣＣＤ１１２からの出力に基づく主走査方向原稿長さ判定結果、及び図４に示す対応表に基づいて原稿サイズを判定する。
【００４８】
その判定結果をユーザに知らせるために表示部２０４に原稿サイズを表示し（Ｓ９１０）、原稿サイズ検知処理を終了する。
【００４９】
一方、原稿が置かれていない場合、外乱光に応じた電気信号が出力される。しかし、原稿圧板１１５の開角度が小さいため、外乱光のうち装置外からの光は差し込み難く、原稿圧板１１５の白板からの反射光の大半の光は装置外に反射されてＣＣＤ１１２に入射し難い。また、原稿有無の閾値は外乱光を考慮して設定されているため、原稿が置かれていない場合、原稿有無の閾値を超えるＣＣＤ１１２の出力は検出されない。
【００５０】
ステップＳ９０７において、スキャナコントローラ２０３が原稿台１０２に原稿が置かれていないと判断した場合、検知結果をユーザに知らせるために表示部２０４に原稿無しと表示する（Ｓ９１１）。
【００５１】
ここで、外乱光の光量が所定の値以下である場合（図８二点鎖線の左側の領域）について説明する。すなわち原稿台１０２にＡ４、Ａ３サイズの原稿が載置された場合、または暗い部屋で原稿サイズ検知処理が行われる場合について説明する。Ａ４、Ａ３の原稿１０１が原稿台１０２に置かれる場合、原稿が主走査方向全域に跨るように載置される（図３参照）。外乱光の光量が所定の値以下である場合とは、外乱光の光量が図８の外乱光の光量が二点鎖線より左側の領域に含まれるときをいう。このとき外乱光は原稿に遮断されるため、検出される外乱光は原稿を透過したわずかな光量分だけである。また、原稿１０１が厚紙などの場合、光を透過しないため外乱光は検知されない。このような場合、外乱光の光量が所定の値よりも大きいときと同様に外乱光の光量に比例させて原稿サイズ検知時の光源１０５の照射光量を設定すると原稿サイズを検知できなくなる。つまり、外乱光の光量が小さい場合、外乱光量に応じて光源１０５の照射光量を小さく設定すると原稿サイズ検知に必要な光量が得られなくなるおそれがある。
【００５２】
上述したように外乱光の光量が所定の値以下である場合、スキャナコントローラ２０３は光源１０５の照射光量を一定に設定し、原稿有無の閾値の値も一定に設定する。このときの光源１０５の照射光量は少なくとも原稿有無の閾値よりも大きくなるように設定される。これは、光量不足のときのＣＣＤ１１２の出力に含まれるノイズ成分の比率が高くなってしまうことに対する対策であり、これによりノイズによる原稿サイズの誤検知を防止することができる。
【００５３】
原稿サイズ検知処理は上述の方法と同様に、ＣＣＤ１１２からの出力と原稿有無の閾値とを比較することにより行われる。
【００５４】
以上説明したように、本実施例の原稿サイズ検知装置は、光源１０５を点灯させないときにＣＣＤ１１２から出力される電気信号に基づいて、原稿サイズ検知時に点灯させる光源１０５の照射光量を設定する。これにより、原稿サイズの誤検知を低減することができるとともに、原稿サイズ検知時にユーザが眩しいと感じることのない原稿サイズ検知装置を備える原稿サイズ検知装置を提供することができる。
【００５５】
この原稿サイズ検知装置は原稿読取装置に備えられ、表示手段に原稿サイズが表示された場合にユーザが読取開始を指示することにより原稿の読取が開始される。原稿の読み取りは、光源１０５を原稿読取時の光量（原稿読取用に予め定められた光量）で点灯させた状態で光学台１０７をホームポジションから副走査方向に移動させ、原稿からの反射光をＣＣＤ１１２に受光させることにより行われる。副走査方向の移動量は、検知した原稿サイズに応じて制御される。また、検知した原稿サイズに応じた記録紙が、画像形成装置に選択される。
【００５６】
なお、本実施例では外乱光の検知に原稿の読み取りに使用するＣＣＤ１１２を用いたが、外乱光検知用のセンサをＣＣＤ１１２とは別に設けて検知しても良い。
【００５７】
また、原稿サイズ検知センサ１１３を設けずに、原稿サイズ検知時に光学台１０７をホームポジションから副走査方向に移動させて原稿サイズ検知を行う構成としてもよい。即ち、本実施例で説明した主走査方向の原稿サイズ検知処理を行った後、光源１０５を光量制御された状態で点灯させながら光学台１０７を副走査方向に移動させ、原稿からの反射光をＣＣＤ１１２に受光させる。原稿からの反射光に基づいて副走査方向の原稿サイズを検知し、スキャナコントローラ２０３は主走査方向の原稿サイズの検知結果と副走査方向の原稿サイズの検知結果とに基づいて原稿サイズを判定する。
【００５８】
また、外乱光を検知し、原稿サイズ検知するためのセンサとしてＣＣＤ１１２を用いて説明したが、図１２のように複数の原稿サイズを検知するためのセンサ（１１３、１４１、１４２、１４２、１４３、１４４、１４４）を設ける構成にしてもよい。この場合、センサ１１３、１４１、１４２、１４３で外乱光を検知し、検知された外乱光量に基づいて各センサの発光光量を制御する。外乱光の光量は、複数のセンサに検知される複数の外乱光量のうち最大値を用いてもよいし、平均値を用いてもよい。
【００５９】
なお、本実施形態では、光源１０５を点灯させていない状態でＣＣＤ１１２に外乱光を検知させる構成について説明したが、ＣＣＤ１１２が外乱光を受光可能な状態において光源１０５を点灯させていても良い。この場合も本実施形態と同様に、光源１０５の光量は外光が入射可能な状態でＣＣＤ１１２が受光した受光結果に応じた出力に基づいて制御される。
【符号の説明】
【００６０】
１０１  原稿
１０２  原稿台
１０５  光源
１１２  ＣＣＤ
１１３  副走査方向原稿サイズ検知センサ
１１５  原稿圧板
２０３  スキャナコントローラ
４０１  室内天井の蛍光灯
【図１】
0005473355.tif 000002
【図２】
0005473355.tif 000003
【図３】
0005473355.tif 000004
【図４】
0005473355.tif 000005
【図５】
0005473355.tif 000006
【図６】
0005473355.tif 000007
【図７】
0005473355.tif 000008
【図８】
0005473355.tif 000009
【図９】
0005473355.tif 000010
【図１０】
0005473355.tif 000011
【図１１】
0005473355.tif 000012
【図１２】
0005473355.tif 000013
【図１３】
0005473355.tif 000014